(57)【特許請求の範囲】
【請求項１】
容器の口部を覆う天面壁を有し該天面壁から立ち上がる筒体の頂部に容器の内部空間に繋がる空気置換孔を備えるキャップ本体と、該キャップ本体に直立姿勢で設けられ該内部空間の内容物の吸引を可能とする屈曲性のストローと、該キャップ本体に揺動可能に取り付けられる蓋体とを備え、該蓋体に、閉鎖方向への揺動変位にて該ストローを該筒体上で屈曲させて該空気置換孔を閉塞する押さえ壁を設けたストロー付きキャップであって、
前記ストローは、前記天面壁の裏面側にて一体連結するフランジを有し、
該フランジは、少なくともそれらのうちの１個が前記筒体に適合して前記内部空間と前記空気置換孔とを連通させる複数個の貫通孔を備えるものであるストロー付きキャップ。
【請求項２】
前記フランジは、前記容器の口部と前記天面壁との間で挟持され前記内部空間を密閉する端部を有する請求項１に記載のストロー付きキャップ。
【発明の詳細な説明】
【技術分野】
【０００１】
本発明は、内容物の吸引を可能とするストローを備え容器の口部に装着される、ストロー付きキャップに関するものである。
【背景技術】
【０００２】
飲料用の内容物を収納する容器の口部に装着され、内容物の吸引を可能とするストローを備えるストロー付きキャップとしては、例えば特許文献１に記載されているように、容器本体の口部に装着される栓部材と、この栓部材に回動自在に枢支された蓋部材とを備え、栓部材に、内容物の吸引を可能とするストローと、内容物の吸引に伴い容器本体内に空気を導入する空気孔とを設け、蓋部材に、閉蓋時にストローを屈曲させて内容物の流路を閉塞するとともに、屈曲したストローにて空気孔を閉塞する押さえ部材を設けた、携帯用液体飲料容器の栓が知られている。そして特許文献１に記載の栓によれば、分解洗浄が容易となり、転倒時においてもストローから内容物が漏れることがなく、またストローの飲み口から塵埃が入ることを防止できる、とする。
【先行技術文献】
【特許文献】
【０００３】
【特許文献１】特開２００３−２０５９５８号公報
【０００４】
ところで、特許文献１に記載のストローは、「く」字状に傾斜した形状であるため、分解洗浄後に再度組み立てる際には、蓋部材の枢支軸に対して飲み口が離れる向きに向かうように位置を合わせなければならないという煩わしさがあった。またこのストローは、栓部材から立ち上がるストロー取付部に嵌合保持されているものの、やや強めに引き上げると抜けてしまうおそれがあり、これに対応するべく嵌合代を増して強く嵌合保持させるようにすると、今度は組み立て難くなるという懸念があった。さらに、容器本体と栓部材との間からの内容物の漏れ出しを防止する為には、パッキンを設ける必要があり、部品点数が増加するという問題も残されていた。
【発明の概要】
【発明が解決しようとする課題】
【０００５】
本発明の課題は、ストローをキャップ本体に取り付けるに当たって、ストローとキャップ本体との相対的な位置合わせを行う必要がなく、しかも、ストローの取り付けやすさは維持できる一方で、使用中に外れてしまうおそれがないストロー付きキャップを提案するところにある。
【課題を解決するための手段】
【０００６】
本発明は、容器の口部を覆う天面壁を有し該天面壁から立ち上がる筒体の頂部に容器の内部空間に繋がる空気置換孔を備えるキャップ本体と、該キャップ本体に直立姿勢で設けられ該内部空間の内容物の吸引を可能とする屈曲性のストローと、該キャップ本体に揺動可能に取り付けられる蓋体とを備え、該蓋体に、閉鎖方向への揺動変位にて該ストローを該筒体上で屈曲させて該空気置換孔を閉塞する押さえ壁を設けたストロー付きキャップであって、
前記ストローは、前記天面壁の裏面側にて一体連結するフランジを有し、
該フランジは、少なくともそれらのうちの１個が前記筒体に適合して前記内部空間と前記空気置換孔とを連通させる複数個の貫通孔を備えるものであるストロー付きキャップである。
【０００７】
前記フランジは、前記容器の口部と前記天面壁との間で挟持され前記内部空間を密閉する端部を有することが好ましい。
【発明の効果】
【０００８】
ストローは、キャップ本体に対して直立姿勢で設けられるものとし、またこのストローに、キャップ本体の天面壁の裏面側にて一体連結するフランジを設け、そしてフランジに、複数個の貫通孔を設けて少なくともそれらのうちの１個がキャップ本体の筒体に設けた空気置換孔に適合するようにしたので、ストローとキャップ本体との相対的な位置合わせを行うことなく取り付けることができる上、使用中にストローが外れてしまうことがない。
【０００９】
フランジに、容器の口部と天面壁との間で挟持されて容器の内部空間を密閉する端部を設ける場合は、容器とキャップ本体との間に配設していたパッキンを設けることなく内容物の漏れ出しを防止することができるため、部品点数を削減することができる。
【図面の簡単な説明】
【００１０】
【図１】本発明に従うストロー付きキャップを容器に装着して示す側面視での断面図であって、図中実線で示す蓋体及びストローは、蓋体を開放した姿勢で示す図であり、二点鎖線で示す蓋体及びストローは、蓋体を閉鎖した姿勢で示す図である。
【図２】図１に示すストロー付きキャップにつき、蓋体を開放した姿勢で示す平面図である。
【図３】図２に示すストロー付きキャップにつき、蓋体を閉鎖した姿勢で示す平面図である。
【発明を実施するための形態】
【００１１】
以下、図面を参照して、本発明をより具体的に説明する。
図１は、本発明に従うストロー付きキャップを容器に装着して示す側面視での断面図であって、図中実線で示す蓋体及びストローは、蓋体を開放した姿勢で示す図であり、二点鎖線で示す蓋体及びストローは、蓋体を閉鎖した姿勢で示す図であって、図２は、図１に示すストロー付きキャップにつき、蓋体を開放した姿勢で示す平面図であって、図３は、図２に示すストロー付きキャップにつき、蓋体を閉鎖した姿勢で示す平面図である。
【００１２】
図１において、符号１は、本発明のストロー付きキャップを装着する容器の一例である。図示の例で容器１は、図示しない有底筒状の胴部に口部１ａを一体連結するものであり、その内側に内容物を収納する内部空間Ｍを備えている。また、口部１ａの外面壁には、図示の例ではねじとなる係合部１ｂが設けられている。
【００１３】
図１において、符号１０は、口部１ａに装着されるキャップ本体である。キャップ本体１０は、口部１ａを覆う天面壁１１と、この天面壁１１の裏面に設けられ口部１ａを取り囲む外筒１２とを備えている。外筒１２の内面壁には、係合部１ｂに対応する被係合部１２ａを設けている。これにより、キャップ本体１０を、ねじ止めにて容器１に固定保持することができる。なお、係合部１ｂ及び被係合部１２ａは、アンダーカット係合するものであってもよい。
【００１４】
天面壁１１には、その中央部を貫き、後述するストローを保持する開口１３を設けている。また、開口１３の外側には、天面壁１１から立ち上がり有頂筒状となる筒体１４を設けている。図１及び図２に示すように筒体１４は、平面視にて幅広のトラック形状となるものであり、上方へ向けて先細りとなるように傾斜させて設けていて、図１に示すように筒体１４の頂部には、その表裏を貫いて設けた空気置換孔１５を形成している。また、開口１３を挟んで筒体１４の反対側には、後述する蓋体を揺動可能に保持する軸受部１６が設けられている。さらに天面壁１１の縁部には、軸受部１６を設けた部位を除いて、蓋体を閉鎖姿勢で保持する係止部１７が形成されている。
【００１５】
図１において、符号２０は、シリコーンゴム等の屈曲性のある材料で形成されるストローである。ストロー２０は、内容物の吸い口をなし、開口１３に挿通されてキャップ本体１０に対し直立姿勢で取り付けられるストロー本体２１と、ストロー本体２１と連通し、容器１の底部に向けて延びるパイプｐを嵌合保持する保持部２２とを備えている。また、ストロー２０は、キャップ本体１０の裏面側にて円板状のフランジ２３を一体連結するとともに、フランジ２３の上方には、フランジ２３との間で天面壁１１を挟持する突出部２４を備えている。そしてフランジ２３は、その表裏を貫く貫通孔２５を、図２に示すように複数個（図示の例では８個の貫通孔２５を同一直径上に均等配置で設けている。）備えている。ここで、筒体１４の形状及び貫通孔２５の配置は、キャップ本体１０に対してストロー２０を何れの回転角度で取り付けても、少なくとも１つの貫通孔２５が筒体１４に適合するように設けている。なおパイプｐは、ストロー２０と一体連結させてもよい。
【００１６】
また、フランジ２３の端部２３ａは、その端縁を径方向外側に向けて伸延させて、図１に示すように容器１の口部１ａとキャップ本体１０の天面壁１１との間で挟持させることが好ましい。これにより、従来、ストロー２０とは別体として設けていたパッキン等を設けることなく、容器１及びキャップ本体１０の間からの内容物の漏れ出しを抑制することができ、部品点数を削減することができる。
【００１７】
図１において、符号３０は、キャップ本体１０に揺動可能に取り付けられる蓋体である。図示の例で蓋体３０は、キャップ本体１０上に覆い被さるドーム状の蓋体本体３１と、蓋体本体３１と一体連結するとともに、図２に示すように対向配置で設けられる枢軸保持部３２と、枢軸保持部３２の相互間に設けられ軸受部１６に保持される枢軸３３とを備えている。なお、図示の例では軸受部１６と枢軸３３とを組み合わせて蓋体３０を揺動可能に保持しているが、これらに代えてヒンジにて揺動可能に設けることもできる。また、蓋体本体３１の内側には、蓋体３０を閉鎖姿勢に変移させることでストロー２０を屈曲させる押さえ壁３４が設けられている。図示の例で押さえ壁３４は、図２に示すように中央部に１個設ける場合を示しているが、間隔をあけて複数個設けてもよい。さらに蓋体本体３１の端縁には、キャップ本体１０の係止部１７に適合する被係止部３５を設けるともに、枢軸３３の反対側に摘み部３６を設けている。
【００１８】
上記のように構成されるストロー付きキャップは、キャップ本体１０の裏面側からストロー２０を開口１３に差し込み、突出部２４が開口１３を乗り越えるまで押し込むことでストロー２０を取り付けることができ、しかもストロー２０は、キャップ本体１０に対する回転方向の相対的な位置合わせを行う必要がないので、取り付け作業が容易となる。
【００１９】
そして、本発明のストロー付きキャップを容器１に装着してこれを使用するに当たっては、図１に実線で示すように、蓋体３０を開放した姿勢に変位させると、ストロー本体２１が直立した姿勢となって空気置換孔１５を開放することができ、これにより、内部空間Ｍ内の内容物の吸引に伴って容器１内に空気置換孔１５から外気を取り込むことができるので、吸引が妨げられることがない。また、ストロー本体２１は、これを不用意に引き上げても、フランジ２３によってキャップ本体１０から外れてしまうことがない。一方、図１及び図３に二点鎖線で示すように、蓋体３０を閉栓した姿勢に変位させると、押さえ壁３４によってストロー本体２１が筒体１４上で屈曲し、ストロー本体２１の管路を狭めるので、容器１を傾けても内容物の漏れ出しが防止される。この時、屈曲したストロー本体２１によって、空気置換孔１５も閉塞されるので、この空気置換孔１５からの内容物の漏れ出しも併せて防止することができる。
【００２０】
なお、図示の例では筒体１４を、平面視にて幅広のトラック形状となるように設けたが、ストロー２０の取り付け角度によらずに少なくとも１つの貫通孔２５に適合する種々の形状のものが適用可能である。例えば図示のように同一直径上に複数個の貫通孔２５を配設する場合には、この筒体１４を、これらと同一直径上に伸延する円弧状のものとして設けてもよい。
【産業上の利用可能性】
【００２１】
本発明によれば、ストローをキャップ本体に取り付けるに当たって、ストローとキャップ本体との相対的な位置合わせを行う必要がなく、使用中にストローを引き上げても外れてしまうおそれがない上、部品点数も削減することができるストロー付きキャップを提供できる。
【符号の説明】
【００２２】
１    容器
１ａ  口部
１０  キャップ本体
１１  天面壁
１４  筒体
１５  空気置換孔
２０  ストロー
２１  ストロー本体
２３  フランジ
２３ａ  端部
２５  貫通孔
３０  蓋体
３４  押さえ壁
Ｍ    内部空間
【図１】
0005856454.tif 000002
【図２】
0005856454.tif 000003
【図３】
0005856454.tif 000004